(57)【要約】【課題】吸着剤部を触らずに吐水装置に対して着脱可能な浄水カートリッジ、及び、水栓を提供する。【解決手段】浄水カートリッジ２０は、吸着剤部３０と中空糸膜ケース７０とを備え、水の流下方向Ｄ１へ吸着剤ＡＤ１と中空糸膜束ＢＨ１とが並べられ、吐水装置（例えば吐水ヘッド１０）に対して着脱可能である。吸着剤部３０は、水が流通する外側面３２を有し、吸着剤ＡＤ１が収容されている。中空糸膜ケース７０は、中空糸膜束ＢＨ１の収容部７１と、吸着剤部３０の流下方向Ｄ１における端部３０ｂを保持する保持部８１と、吸着剤部３０の外側面３２の外側３２ａにおいて保持部８１から部分的に吸着剤部３０側へ延出した指当て部８５とを有する。【選択図】図２
2016159254.tif 000002
【特許請求の範囲】
【請求項１】
水の流下方向へ吸着剤と中空糸膜束とが並べられ、吐水装置に対して着脱可能な浄水カートリッジであって、
水が流通する外側面を有し、前記吸着剤が収容された吸着剤部と、
前記中空糸膜束の収容部と、前記吸着剤部の前記流下方向における端部を保持する保持部と、前記吸着剤部の外側面の外側において前記保持部から部分的に前記吸着剤部側へ延出した指当て部とを有する中空糸膜ケースとを備える、浄水カートリッジ。
【請求項２】
前記指当て部は、前記吸着剤部を挟んで互いに反対側となる第一及び第二の当て部を含む、請求項１に記載の浄水カートリッジ。
【請求項３】
前記指当て部は、前記吸着剤部の外側面の外側において互いに離隔して前記保持部から前記吸着剤部側へ延出した第一及び第二の当て部を含む、請求項１又は請求項２に記載の浄水カートリッジ。
【請求項４】
前記保持部は、前記吸着剤部の外側面の外側において前記吸着剤部の前記流下方向における端部を保持し、
前記保持部から前記指当て部にわたる部分の前記中空糸膜ケースの外側面には、滑り止め用の凹凸が形成されている、請求項１〜請求項３のいずれか一項に記載の浄水カートリッジ。
【請求項５】
水の流下方向へ吸着剤と中空糸膜束とが並べられ、吐水装置に対して着脱可能な浄水カートリッジであって、
水が流通する外側面を有し、前記吸着剤が収容された吸着剤部と、
前記中空糸膜束の収容部と、前記吸着剤部の外側面の外側において前記吸着剤部の前記流下方向における端部を保持する外嵌部とを有する中空糸膜ケースとを備え、
前記外嵌部の外側面には、滑り止め用の凹凸が形成されている、浄水カートリッジ。
【請求項６】
吐水装置と、
水の流下方向へ吸着剤と中空糸膜束とが並べられ、前記吐水装置に対して着脱可能な浄水カートリッジとを備え、
該浄水カートリッジは、
水が流通する外側面を有し、前記吸着剤が収容された吸着剤部と、
前記中空糸膜束の収容部と、前記吸着剤部の前記流下方向における端部を保持する保持部と、前記吸着剤部の外側面の外側において前記保持部から部分的に前記吸着剤部側へ延出した指当て部とを有する中空糸膜ケースとを有する、水栓。
【請求項７】
吐水装置と、
水の流下方向へ吸着剤と中空糸膜束とが並べられ、前記吐水装置に対して着脱可能な浄水カートリッジとを備え、
該浄水カートリッジは、
水が流通する外側面を有し、前記吸着剤が収容された吸着剤部と、
前記中空糸膜束の収容部と、前記吸着剤部の外側面の外側において前記吸着剤部の前記流下方向における端部を保持する外嵌部とを有する中空糸膜ケースとを有し、
前記外嵌部の外側面には、滑り止め用の凹凸が形成されている、水栓。
【発明の詳細な説明】
【技術分野】
【０００１】
本発明は、吐水装置に対して着脱可能な浄水カートリッジ、及び、水栓に関する。
【背景技術】
【０００２】
水栓として、活性炭と中空糸膜束とを別々に収容した浄水カートリッジを吐水ヘッドに対して交換可能に取り付けた浄水機能付き水栓が知られている。活性炭は、水道水に含まれる遊離残留塩素や有機物等の微量成分を除去する。中空糸膜は、水道水に含まれる鉄さびといった濁り成分等を除去する。
【０００３】
特許文献１に開示された浄水カートリッジは、活性炭部と、この活性炭部に対して直列に接続された中空糸膜部とを有している。活性炭部は、対向する一対のキャップ部と、これらを連結する細径の中空部とを有し、中空部の周囲に活性炭が収容される円筒状不織布が設けられている。下流側キャップ部は、中空糸膜部の中空糸膜ケースの上流側が挿入される円筒状の側板を有している。この円筒状の側板には、対向する位置に内側へ突出した一対のフックが形成されている。中空糸膜ケースの上流側の円周側周囲には、前記一対のフックが嵌入する環状溝が形成されている。活性炭部と中空糸膜部とを有する浄水カートリッジは、吐水口に繋がる吐水管の内部に装着され、流入した原水を活性炭に通し、処理後の水を中空糸膜で濾過する。濾過後の浄水は、吐水口から吐出される。
【先行技術文献】
【特許文献】
【０００４】
【特許文献１】特開２００５−７６８号公報
【発明の概要】
【発明が解決しようとする課題】
【０００５】
浄水カートリッジを吐水管の内部に装着するとき、活性炭部の円筒状不織布を手で触ってしまうと、円筒状不織布の内側に収容された活性炭のかさ密度が局所的に変わり、通水性能が低下する可能性がある。浄水カートリッジの通水性能が低下すると、浄水カートリッジの寿命が短くなることに繋がる。
尚、上記のような問題は、活性炭以外の吸着剤が収容された吸着剤部を有する浄水カートリッジ、及び、種々の水栓にも同様に存在する。
【０００６】
本発明は、吸着剤部を触らずに吐水装置に対して着脱可能な浄水カートリッジ、及び、水栓を提供する目的を有している。
【課題を解決するための手段】
【０００７】
本発明は、水の流下方向へ吸着剤と中空糸膜束とが並べられ、吐水装置に対して着脱可能な浄水カートリッジであって、
水が流通する外側面を有し、前記吸着剤が収容された吸着剤部と、
前記中空糸膜束の収容部と、前記吸着剤部の前記流下方向における端部を保持する保持部と、前記吸着剤部の外側面の外側において前記保持部から部分的に前記吸着剤部側へ延出した指当て部とを有する中空糸膜ケースとを備える、態様を有する。
また、本発明は、吐水装置と前記浄水カートリッジとを備える水栓の態様を有する。
【０００８】
上記中空糸膜ケースは指当て部が吸着剤部の外側面の外側において吸着剤部の保持部から部分的に吸着剤部側へ延出しているので、吸着剤部の外側面において保持部から指当て部が延出していない部分では水の流通が抑制されない。その上で、指当て部に指を当てることにより、吐水装置に対して浄水カートリッジを着脱することができる。
【０００９】
さらに、本発明は、水の流下方向へ吸着剤と中空糸膜束とが並べられ、吐水装置に対して着脱可能な浄水カートリッジであって、
水が流通する外側面を有し、前記吸着剤が収容された吸着剤部と、
前記中空糸膜束の収容部と、前記吸着剤部の外側面の外側において前記吸着剤部の前記流下方向における端部を保持する外嵌部とを有する中空糸膜ケースとを備え、
前記外嵌部の外側面には、滑り止め用の凹凸が形成されている、態様を有する。
さらに、本発明は、吐水装置と前記浄水カートリッジとを備える水栓の態様を有する。
【００１０】
上記中空糸膜ケースにおいて外側面に滑り止め用の凹凸が形成された外嵌部に指を当てることにより、吐水装置に対して浄水カートリッジを容易に着脱することができる。
【発明の効果】
【００１１】
請求項１、請求項５に係る発明によれば、吸着剤部を触らずに吐水装置に対して着脱可能な浄水カートリッジを提供することができる。
請求項２に係る発明では、吸着剤部を触らずに吐水装置に対して着脱することが容易な浄水カートリッジを提供することができる。
請求項３に係る発明では、吸着剤部の外側面の通水面積を増やすことが可能となる。
請求項４に係る発明では、吸着剤部を触らずに吐水装置に対して着脱する好適な浄水カートリッジを提供することができる。
請求項６、請求項７に係る発明では、吸着剤部を触らずに浄水カートリッジを吐水装置に対して着脱可能な水栓を提供することができる。
【図面の簡単な説明】
【００１２】
【図１】浄水機能付き水栓を組み込んだシステムキッチンの例を模式的に示す図。
【図２】（ａ）は浄水カートリッジを取り付けた吐水ヘッド（吐水装置）の例を一部断面視して示す図、（ｂ）は浄水カートリッジを取り付けた吐水部の例を示す斜視図。
【図３】（ａ）は浄水カートリッジの例を示す縦断面図であって指当て部を通る縦断面図、（ｂ）は浄水カートリッジの例を示す縦断面図であって指当て部を通らない縦断面図、（ｃ）は（ｂ）のＢ１部分の拡大図。
【図４】浄水カートリッジの例を示す分解斜視図。
【図５】（ａ）は吸着剤部の内側不織布に内キャップを取り付ける様子を例示する縦断面図、（ｂ）は吸着剤部の外側不織布に外キャップを取り付ける様子を例示する縦断面図。
【図６】（ａ）は中空糸膜ケースの例を示す斜視図、（ｂ）は中空糸膜ケースの例を示す縦断面図。
【図７】（ａ）は２箇所の当て部及び凹凸を有する中空糸膜ケースの例を模式的に示す図、（ｂ）は１８０°を超えて配置された指当て部、及び、凹凸を有する中空糸膜ケースの例を模式的に示す図、（ｃ）は（ｂ）に示す中空糸膜ケースの縦断面図、（ｄ）は３箇所の当て部及び凹凸を有する中空糸膜ケースの例を模式的に示す図。
【図８】（ａ）は滑り止め用の凹凸が無く指当て部がある中空糸膜ケースの例を示す斜視図、（ｂ）は指当て部が無く滑り止め用の凹凸がある中空糸膜ケースの例を示す斜視図。
【発明を実施するための形態】
【００１３】
以下、本発明の実施形態を説明する。むろん、以下の実施形態は本発明を例示するものに過ぎず、実施形態に示す特徴の全てが発明の解決手段に必須になるとは限らない。
【００１４】
（１）浄水カートリッジ、及び、水栓の概要：
図１〜８は本技術の浄水カートリッジの例を示し、図１は本技術の水栓の例を示している。尚、図１〜８は模式的に示す図であり、これらの図に示される各方向の拡大率は異なることがあり、各図は整合していないことがある。
【００１５】
図１〜３等に示す浄水カートリッジ２０は、吸着剤部３０と中空糸膜ケース７０とを備え、水の流下方向Ｄ１へ吸着剤ＡＤ１と中空糸膜束ＢＨ１とが並べられ、吐水装置（例えば吐水ヘッド１０）に対して着脱可能である。吸着剤部３０は、水が流通する外側面３２（例えば外側不織布３１）を有し、吸着剤ＡＤ１が収容されている。中空糸膜ケース７０は、中空糸膜束ＢＨ１の収容部７１と、吸着剤部３０の流下方向Ｄ１における端部３０ｂを保持する保持部８１と、吸着剤部３０の外側面３２の外側３２ａにおいて保持部８１から部分的に吸着剤部３０側へ延出した指当て部８５とを有する。図１に示す水栓１は、吐水装置（１０）と浄水カートリッジ２０とを備える。
【００１６】
上記中空糸膜ケース７０は指当て部８５が吸着剤部３０の外側面３２の外側３２ａにおいて吸着剤部３０の保持部８１から部分的に吸着剤部３０側へ延出しているので、吸着剤部３０の外側面３２において保持部８１から指当て部８５が延出していない部分では水の流通が抑制されない。その上で、指当て部８５に指を当てることにより、吐水装置（１０）に対して浄水カートリッジ２０を着脱することができる。従って、上記態様は、吸着剤部を触らずに吐水装置に対して着脱可能な浄水カートリッジ、及び、水栓を提供することができる。
ここで、吸着剤には、活性炭、イオン交換体、等が含まれる。
流下方向へ並べられる吸着剤及び中空糸膜束は、吸着剤が上流側で中空糸膜束が下流側であることが好ましいものの、中空糸膜束が上流側で吸着剤が下流側でもよい。
尚、中空糸膜ケース７０の概念には、図７，８に示す中空糸膜ケース７０Ａ〜７０Ｄが含まれる。
【００１７】
図６等に示すように、前記指当て部８５は、前記吸着剤部３０を挟んで互いに反対側となる第一及び第二の当て部８６，８７を含んでもよい。この態様は、指当て部８５に指を当て易くなるので、吸着剤部を触らずに吐水装置に対して着脱することが容易な浄水カートリッジ、及び、水栓を提供することができる。
尚、第一及び第二の当て部は、浄水カートリッジの中心を通る仮想の軸（ＡＸ１）を中心として１８０°反対側に配置されてもよいし、軸（ＡＸ１）を中心として１２０°の間隔を空けて配置される等、１８０°反対側ではない箇所に配置されてもよい。
【００１８】
また、前記指当て部８５は、前記吸着剤部３０の外側面３２の外側３２ａにおいて互いに離隔して前記保持部８１から前記吸着剤部３０側へ延出した第一及び第二の当て部８６，８７を含んでもよい。この態様は、指当て部８５の面積を少なくすることができるので、吸着剤部の外側面の通水面積を増やすことが可能となる。
【００１９】
さらに、前記保持部８１は、前記吸着剤部３０の外側面３２の外側３２ａにおいて前記吸着剤部３０の前記流下方向Ｄ１における端部３０ｂを保持してもよい。前記保持部８１から前記指当て部８５にわたる部分の前記中空糸膜ケース７０の外側面８０ａには、滑り止め用の凹凸９０が形成されてもよい。
上記態様は、保持部８１から指当て部８５にわたる部分の中空糸膜ケース７０の外側面８０ａに形成された滑り止め用の凹凸９０に指を当てることにより、吐水装置（１０）に対して浄水カートリッジ２０を容易に着脱することができる。また、滑り止め用の凹凸９０が保持部８１から指当て部８５にわたって形成されているので、指を当てる位置が見易い。さらに、滑り止め用の凹凸９０が保持部８１の外側面にも形成されているので、滑り止め用の凹凸９０に指を当てたときに指当て部８５が撓み難く、指当て部８５が撓むことによる浄水カートリッジ２０の通水性能の低下が抑制される。従って、吸着剤部を触らずに吐水装置に対して着脱する好適な浄水カートリッジ、及び、水栓を提供することができる。
【００２０】
ところで、図８（ｂ）に示すように、保持部８１から部分的に延出した指当て部８５が無い中空糸膜ケース７０を備える浄水カートリッジ２０及び水栓１も本技術に含まれる。指当て部８５の有無に関わらず、浄水カートリッジ２０の中空糸膜ケース７０は、吸着剤部３０の外側面３２の外側３２ａにおいて吸着剤部３０の流下方向Ｄ１における端部３０ｂを保持する外嵌部８０を有している。前記外嵌部８０の外側面８０ａには、滑り止め用の凹凸９０が形成されている。
【００２１】
上記中空糸膜ケース７０において外側面に滑り止め用の凹凸９０が形成された外嵌部８０に指を当てることにより、吐水装置（吐水ヘッド１０）に対して浄水カートリッジ２０を容易に着脱することができる。従って、上記態様は、吸着剤部を触らずに吐水装置に対して着脱可能な浄水カートリッジ、及び、水栓を提供することができる。
【００２２】
（２）浄水カートリッジ、及び、水栓の具体例：
図１は、浄水機能付き水栓１を組み込んだシステムキッチンＳＹ１を模式的に示している。システムキッチンＳＹ１には、水平に延びるカウンター８０１にキャビネット８０２、凹状のシンク８０３、水栓１、等が組み込まれている。水栓１は、カウンター８０１を上下に貫通した水栓本体２、この水栓本体２に対して着脱可能な吐水ヘッド（吐水装置）１０、水栓本体２に対して傾動可能な開栓レバー３、等を備えている。吐水ヘッド１０には、水栓本体２に通されているホース１９が接続されている。ホース１９は、開栓レバー３が開いている時に図示しない給水管からの水道水を吐水ヘッド１０に供給する。水栓本体２から吐水ヘッド１０が取り外されると、水栓本体２からホース１９が引き出される。水栓本体２に吐水ヘッド１０を取り付ける時には、水栓本体２にホース１９が引き込まれる。開栓レバー３は、開位置（例えば傾動範囲の上側の位置）にある時にホース１９を介して吐水ヘッド１０へ水道水が供給されるようにし、閉位置（例えば傾動範囲の下側の位置）にある時に吐水ヘッド１０への水道水の供給を停止させる。
【００２３】
図２に示すように、吐水ヘッド１０は、先端側、すなわち、水の流下方向Ｄ１の下流側にある吐水部１１、及び、水栓本体２に対して着脱される把持部１８を有し、交換部品である浄水カートリッジ２０が組み込まれている。吐水ヘッド１０の内側において浄水カートリッジ２０の外側は、水道水が流れる水道水通路１０ａとされている。吐水部１１には、浄水カートリッジ２０との接続口１２、及び、接続口１２からの浄水を出すか水道水通路１０ａからの水道水を出すかの切替操作可能な切替レバー１５が設けられている。切替レバー１５は、浄水側（例えば回転範囲の一端側）にある時に水道水を止めて浄水を吐水部１１から吐出させ、水道水側（例えば回転範囲の他端側）にある時浄水を止めて水道水を吐水部１１から吐出させる。
【００２４】
図２に示すように、吐水部１１の上流側における端部の外周に雄ねじ１１ａが形成され、把持部１８の下流側における端部の内周に雌ねじ１８ａが形成されている。両ねじ１１ａ，１８ａを螺合することにより把持部１８を吐水部１１に取り付けることができ、雄ねじ１１ａから雌ねじ１８ａを外すことにより吐水部１１から把持部１８を取り外すことができる。
【００２５】
交換可能な浄水カートリッジ２０は、吸着剤ＡＤ１が収容された吸着剤部３０、及び、中空糸膜Ｈ１を複数束ねた中空糸膜束ＢＨ１の収容部７１を有する中空糸膜ケース（流通口部材）７０を備えている。吸着剤部３０は流下方向Ｄ１の上流側に配置され、中空糸膜ケース７０は流下方向Ｄ１の下流側に配置されている。浄水カートリッジ２０に流入した水道水は、吸着剤部３０、中空糸膜ケース７０の中空糸膜束収容部７１、の順に入り、浄化される。従って、水の流下方向Ｄ１へ吸着剤ＡＤ１と中空糸膜束ＢＨ１とが並べられていることになる。
【００２６】
中空糸膜束収容部７１は、吐水部１１に対して流下方向Ｄ１へ挿入されて取り付けられる。この時、中空糸膜束収容部７１の流出口（流通口）７５が吐水部１１の接続口１２に挿入される。浄水カートリッジ２０は、吸着剤部３０、及び、中空糸膜ケース７０の外嵌部８０が吐水部１１から出た状態で吐水部１１に固定される。浄水カートリッジ２０は、吐水部１１から流下方向Ｄ１とは反対の方向（延出方向Ｄ２）へ引き出すことにより取り外される。従って、浄水カートリッジ２０は、吐水ヘッド１０に対して着脱可能である。
【００２７】
図３，４等に示すように、吸着剤部３０は、筒状の外側不織布（収容部材）３１、外キャップ３８、筒状の内側不織布４１、内キャップ４８、及び、内嵌部材５０を有し、吸着剤ＡＤ１が収容されている。
【００２８】
吸着剤ＡＤ１には、活性炭、イオン交換体、これらの組合せ、等を用いることができる。吸着剤ＡＤ１としての活性炭には、粒状活性炭、繊維状活性炭、粉末状活性炭、これらの組合せ、等を用いることができる。活性炭は、原水に含まれる遊離残留塩素や有機物等の微量成分を除去する。吸着剤ＡＤ１としてのイオン交換体には、ゼオライト（沸石）といった無機系のイオン交換体、陽イオン交換樹脂や陰イオン交換樹脂といったイオン交換樹脂、キレート樹脂といったキレート化合物、これらの組合せ、等を用いることができる。ゼオライトや陽イオン交換樹脂は、陽イオン交換機能により金属イオンを吸着する。キレート化合物は、キレート結合で特定の金属イオンを選択的に吸着する。すなわち、ゼオライトや陽イオン交換樹脂やキレート化合物は、金属処理剤として機能する。また、イオン交換体には、粒状、繊維状、粉末状、等の形状のイオン交換体を用いることができる。
【００２９】
外側不織布３１は、円筒状に成形され、水が内外方向へ、すなわち、浄水カートリッジ２０の中心を通る仮想の軸ＡＸ１を中心とする径方向へ流通可能である。従って、吸着剤部３０は、水が流通する外側面３２を有する。外側不織布３１の下流側の端部３１ｂは、中空糸膜ケース７０の外嵌部８０に挿入されて固定される。外側不織布３１の内側３３には、吸着剤ＡＤ１が収容される。従って、外側不織布３１は、吸着剤ＡＤ１が収容される変形可能な収容部材である。このため、浄水カートリッジ２０を吐水部１１に取り付ける際に外側不織布３１を触ってしまうと、内側３３に収容された吸着剤ＡＤ１のかさ密度が局所的に変わる可能性がある。吸着剤ＡＤ１のかさ密度が局所的に変わると、水の流れがかさ密度の低い部分に偏り、通水性能が低下する可能性がある。
【００３０】
外側不織布３１の上流側の端部３１ａは、図５（ｂ）に示すように、外キャップ３８が挿入され、内側へ折り曲げられて外キャップ３８の外面３８ａに溶着される。これにより、外側不織布３１の端部３１ａの開口３１ｏが閉塞される。尚、溶着の代わりに接着剤等で外側不織布３１の端部３１ａと外キャップ３８とを接合してもよい。吸着剤部３０の上流側の端部３０ａは、外キャップ３８、及び、外側不織布３１の端部３１ａで形成される。
【００３１】
内側不織布４１は、外側不織布３１よりも細い円筒状に形成され、水が内外方向へ流通可能である。内側不織布４１の下流側の端部４１ｂは、中空糸膜ケース７０の連絡口７４に挿入されて固定される。内側不織布４１の上流側の端部４１ａは、図５（ａ）に示すように、内キャップ４８が嵌め込まれる。これにより、内側不織布４１の端部４１ａの開口４１ｏが閉塞される。内側不織布４１の外側には、吸着剤ＡＤ１が存在する。内側不織布４１の内側４３は、連絡口７４を介して中空糸膜束収容部７１の中に繋がり、吸着対象の物質が除去された水の通路となる。
【００３２】
尚、不織布３１，４１には、ポリオレフィン（例えばポリエチレン（ＰＥ）やポリプロピレン（ＰＰ））、ポリエステル、ポリアミド、ビニロン、これらの組合せ、といった熱可塑性樹脂（合成樹脂）の繊維等を用いることができる。
【００３３】
内嵌部材５０は、環状に成形され、可撓性を有する。内嵌部材５０の外側面５１には、外側へごく僅かに出た膨出部５１ｃが形成されている。内嵌部材５０は、図３に示すように、外側不織布３１の内側３３に挿入され、さらに、下流側縁部５０ｂが中空糸膜ケース７０の接続部７６の溝７７に挿入され、中空糸膜ケース７０の外嵌部８０とで外側不織布３１の下流側の端部３１ｂを挟持する。すなわち、内嵌部材５０は、吸着剤部３０の一部を兼ねている。接続部７６のうち溝７７の内側部分となる内接部７８は、内嵌部材５０の内側５３に入って接触している。図３（ｂ）のＢ１部分に対応する図３（ｃ）に示すように、外側不織布３１の端部３１ｂは、変形可能であるので、内接部７８により内側への撓みが抑制された内嵌部材５０の膨出部５１ｃにより外側３２ａの方へ圧縮され、吸着剤ＡＤ１の流出を防ぐシール性も高い。これにより、外嵌部８０と内嵌部材５０とで外側不織布３１の端部３１ｂが強固に保持される。
内嵌部材５０には、合成樹脂、可撓性を示す金属、等を用いることができる。前記合成樹脂には、アクリロニトリルブタジエンスチレン共重合体（ＡＢＳ）、アクリロニトリルスチレン共重合体（ＡＳ）、ポリオレフィン（例えばＰＥやＰＰ）、ポリスチレン（ＰＳ）、フッ素樹脂（例えばポリテトラフルオロエチレン）、熱可塑性エラストマー、これらの組合せ、といった熱可塑性樹脂等を用いることができる。
【００３４】
以上により、吸着剤部３０の下流側、すなわち、流下方向Ｄ１における端部３０ｂが中空糸膜ケース７０の外嵌部８０に保持される。
【００３５】
図３，４，６に示すように、中空糸膜ケース（流通口部材）７０は、内部空間７０ｃとなる凹部に中空糸膜束ＢＨ１が固定された本体部７０ａと、流出口（流通口）７５を有する蓋部７０ｂとを嵌め合わせた構造を有している。この構造を有する中空糸膜ケース７０は、内部空間７０ｃに中空糸膜束ＢＨ１が収容された収容部７１、外側不織布３１の下流側の端部３１ｂが突き当たる接続部７６、及び、吸着剤部３０の端部３０ｂの外嵌部８０が形成されている。
【００３６】
中空糸膜束ＢＨ１は、処理対象の水から１μｍ程度以上の細かい濁りや鉄サビや一般細菌を取り除く。中空糸膜束ＢＨ１を構成する中空糸膜Ｈ１の材質には、ポリオレフィン（例えばＰＥやＰＰ）、ポリスルホン、ポリアミド、ポリイミド、セルロース、ポリテトラフルオロエチレン、ポリフッ化ビニリデン、ポリアクリロニトリル（ＰＡＮ）、ポリエーテルスルホン（ＰＥＳ）、これらの組合せ、等を採用することができる。また、これらに酸化アルミニウム（化学量論比でＡｌ2０3）、酸化ジルコニウム（化学量論比でＺｒ０2）、酸化チタン（化学量論比でＴｉ０2）、ステンレス（ＳＵＳ）、ガラス（例えばシラス多孔質ガラス（ＳＰＧ））、といった無機材料を添加してもよい。例えば、Ｕ字状に曲げた中空糸膜Ｈ１を複数束ねた中空糸膜束ＢＨ１を閉塞端部ＢＨ１ａから本体部７０ａの凹部に挿入して開口端部ＢＨ１ｂをポッティング剤で固定し、開口端部ＢＨ１ｂを覆うように蓋部７０ｂを本体部７０ａに嵌め合わせると、中空糸膜束ＢＨ１が収容された中空糸膜ケース７０が形成される。ポッティング剤には、ホットメルトといった熱可塑性樹脂系接着剤、ウレタン樹脂系接着剤やエポキシ樹脂系接着剤やシリコーン樹脂系接着剤や不飽和ポリエステル樹脂系接着剤やフェノール樹脂系接着剤といった硬化性樹脂系接着剤、等を用いることができる。
【００３７】
中空糸膜束収容部７１には、中空糸膜束ＢＨ１の閉塞端部ＢＨ１ａに対向する連絡口７４、及び、中空糸膜束ＢＨ１の開口端部ＢＨ１ｂに対向する流出口７５が形成されている。
接続部７６には、上記連絡口７４が形成され、この連絡口７４の周りに溝７７が形成されている。図３（ｃ）に示すように、溝７７には、外側不織布３１の下流側の端部３１ｂ、及び、内嵌部材５０の一部が挿入される。接続部７６は、内嵌部材５０の内側５３に入って接する内接部７８を有している。
【００３８】
外嵌部８０は、接続部７６の外側において中空糸膜束収容部７１から吸着剤部３０側（延出方向Ｄ２）へ延出し、外側不織布３１の下流側の端部３１ｂが挿入される。外嵌部８０は、内嵌部材５０とで外側不織布３１の端部３１ｂを挟持する。従って、外嵌部８０は、吸着剤部３０の外側面３２の外側３２ａにおいて吸着剤部３０の下流側の端部３０ｂを保持する。
外嵌部８０は、軸ＡＸ１を中心とする全周にわたって中空糸膜束収容部７１から吸着剤部３０側（延出方向Ｄ２）へ短く延出した保持部８１、及び、この保持部８１から部分的に吸着剤部３０側（延出方向Ｄ２）へ延出した指当て部８５を有している。
【００３９】
保持部８１は、略円筒状に形成され、吸着剤部３０の外側面３２の外側３２ａにおいて吸着剤部３０の下流側の端部３０ｂを保持する。保持部８１の延出した長さは、内嵌部材５０とで外側不織布３１の端部３１ｂを挟持することができる長さがあればよい。吸着剤部３０の外側面３２の通水面積を極力大きくするため、本具体例の保持部８１の延出した長さは、指で掴むには短い長さとされている。
【００４０】
指当て部８５は、吸着剤部３０の外側面３２の外側３２ａにおいて互いに離隔して保持部８１から延出方向Ｄ２へ延出した第一及び第二の当て部８６，８７を含んでいる。図６（ａ）において二点鎖線で囲んだ箇所には、第一の当て部８６を含む外嵌部８０、及び、その近傍を軸ＡＸ１に直交する方向から見た図を示している。図７（ａ）は、第一及び第二の当て部８６，８７の位置を格子模様で示している。第一の当て部８６と第二の当て部８７とは、軸ＡＸ１を中心として１８０°反対側に配置されている。従って、図３（ａ）に示すように、第一の当て部８６と第二の当て部８７とは、保持部８１に挿入された吸着剤部３０を挟んで互いに１８０°反対側となる。保持部８１から延出方向Ｄ２へ延出した各当て部８６，８７の先端部８６ａ，８７ａは、軸ＡＸ１を中心とする径方向外側から見て保持部８１から遠くなるほど細くなる略半円状に形成されている。これにより、吸着剤部３０の外側を流下方向Ｄ１へ流れる水道水の抵抗が少なくなっている。
【００４１】
尚、保持部８１が吸着剤部３０の外側面３２を保持する機能を有するため、指当て部８５の内側面は、図３（ａ）に示すように吸着剤部３０の外側面３２と接触する必要は無く、吸着剤部３０の外側面３２から離隔していてもよい。
【００４２】
保持部８１から各当て部８６，８７にわたる部分の外嵌部８０の外側面８０ａには、滑り止め用の凹凸９０が形成されている。各凹凸９０には、軸ＡＸ１と直交し、且つ、軸ＡＸ１を中心として回る向きの溝が複数形成されている。図７（ａ）では、各凹凸９０の位置が格子模様で示されている。
【００４３】
尚、中空糸膜ケース７０及びキャップ３８，４８には、ＡＢＳ、ＡＳ、ポリオレフィン（例えばＰＥやＰＰ）、ＰＳ、フッ素樹脂、これらの組合せ、といった熱可塑性樹脂（合成樹脂）等を用いることができる。
【００４４】
次に、図３〜６を参照して、浄水カートリッジ２０の製造方法の例を説明する。
まず、中空糸膜ケース７０の連絡口７４に内側不織布４１の端部４１ｂを挿入し、図５（ａ）に示すように内側不織布４１の上流側の端部４１ａに内キャップ４８を取り付ける。これにより、内側不織布４１の端部４１ａの開口４１ｏが閉塞され、内側不織布４１の内側４３が吸着剤ＡＤ１により浄化した水の通路となる。
【００４５】
また、中空糸膜ケース７０の外嵌部８０から溝７７まで外側不織布３１の端部３１ｂを挿入し、内嵌部材５０を外側不織布３１の内側３３から溝７７に入れる。これにより、変形可能な外側不織布３１の端部３１ｂは、外嵌部８０と内嵌部材５０とで挟持され、図３（ｃ）に示すように内嵌部材５０の外側面５１の膨出部５１ｃにより外側３２ａの方へ圧縮される。すなわち、外嵌部８０と内嵌部材５０とで外側不織布端部３１ｂが強固に保持されるので、接着剤を使用しないで外側不織布３１と中空糸膜ケース７０とが接続される。ここで、内側不織布４１の外側であって外側不織布３１の内側３３に粒状活性炭といった吸着剤ＡＤ１を入れ、図５（ｂ）に示すように外側不織布３１の上流側の端部３１ａに外キャップ３８を挿入し、外側不織布３１の端部３１ａを内側へ曲げて外キャップ３８の外面３８ａに溶着する。これにより、外側不織布３１の端部３１ａの開口３１ｏが閉塞され、内側不織布４１の外側であって外側不織布３１の内側３３が吸着剤ＡＤ１の収容空間となり、浄水カートリッジ２０が形成される。
【００４６】
さらに、図２，３を参照して、浄水カートリッジ２０が取り付けられた吐水ヘッド１０の水の流れを説明する。
切替レバー１５が浄水側にある時、吐水ヘッド１０の中で浄水カートリッジ２０の外側にある水道水は流出しない。図１に示すホース１９からの水道水は、図３（ａ），（ｂ）に示す矢印のように、外側不織布３１の外側面３２から内側３３へ入り、吸着剤ＡＤ１（例えば活性炭）により吸着対象の物質（例えば遊離残留塩素や有機物等の微量成分）が除去される。外側不織布内側３３の水は、内側不織布４１の内側４３へ入り、連絡口７４から中空糸膜束収容部７１の内部空間７０ｃに入る。内部空間７０ｃの水は、中空糸膜束ＢＨ１において閉塞端部ＢＨ１ａから開口端部ＢＨ１ｂへ移動し、１μｍ程度以上の細かい濁りや鉄サビや一般細菌が取り除かれる。開口端部ＢＨ１ｂからの浄水は、流出口７５から流出し、吐水部１１から吐出される。
【００４７】
切替レバー１５が水道水側にある時、浄水カートリッジ２０からの浄水は流出しない。ホース１９からの水道水は、吐水ヘッド１０の中で浄水カートリッジ２０の外側を流下方向Ｄ１へ流れ、吐水部１１から吐出される。
【００４８】
以下、浄水カートリッジ２０の交換方法の例を説明する。
吐水ヘッド１０から使用済みの浄水カートリッジ２０を取り外す場合、まず、ねじ１１ａ，１８ａの螺合を解除する向きに把持部１８を回し、吐水部１１から把持部１８を取り外す。このとき、図２（ｂ）に示すように、吐水部１１から浄水カートリッジ２０における吸着剤部３０及び外嵌部８０が出た状態となる。次に、保持部８１から指当て部８５にわたる滑り止め用の凹凸９０に指を当てて外嵌部８０を掴み、吐水部１１から浄水カートリッジ２０を流下方向Ｄ１とは反対の方向（延出方向Ｄ２）へ引き出せばよい。吐水ヘッド１０に新しい浄水カートリッジ２０を取り付ける場合、保持部８１から指当て部８５にわたる滑り止め用の凹凸９０に指を当てて外嵌部８０を掴み、吐水部１１に流出口７５から浄水カートリッジ２０を流下方向Ｄ１へ押し込めばよい。図２（ａ）に示すように流出口７５が吐水部１１の接続口１２に挿入されると、浄水カートリッジ２０が吐水部１１に取り付けられる。
【００４９】
吐水部１１に対して浄水カートリッジ２０を着脱する際、保持部８１から部分的に吸着剤部３０側へ指当て部８５が延出しているので、吸着剤部３０を触らずに保持部８１から指当て部８５にかけて強く掴むことができる。また、指当て部８５を構成する当て部８６，８７が軸ＡＸ１を中心として互いに１８０°反対側にあるので、外嵌部８０に当てる指に力を加え易い。さらに、外嵌部８０のうち指を当てる部分に滑り止め用の凹凸９０が形成されているので、指を当てる位置が見易く、吸着剤部３０を触らず滑らないように外嵌部８０を掴むことができる。従って、容易に浄水カートリッジ２０を吐水部１１に対して着脱することができる。また、変形可能な外側不織布３１を触らずに外嵌部８０を掴むことができるので、外側不織布３１の内側３３に収容された吸着剤ＡＤ１のかさ密度が局所的に変化しないように浄水カートリッジ２０を吐水部１１に取り付けることができ、良好な通水性能が維持される。従って、本浄水カートリッジは、長寿命である。さらに、水が流通する外側不織布３１を触らずに浄水カートリッジ２０を吐水部１１に対して着脱することができるので、外側不織布３１に触れることによる不快感が生じないようにすることができる。
【００５０】
（３）変形例：
本発明は、種々の変形例が考えられる。
例えば、浄水カートリッジを設けた水栓は、システムキッチン以外の場所に設けられてもよい。
吐水装置は、浄水と水道水を切替可能な吐水ヘッド以外にも、浄水のみを吐出する吐水ヘッド等でもよい。
中空糸膜ケースと吸着剤部とは、外嵌部８０と内嵌部材５０とが外側不織布端部３１ｂを挟持することにより接合される以外にも、内嵌部材５０を使用せず接着剤により外嵌部８０と外側不織布端部３１ｂとが接着される等により接合されてもよい。
吸着剤が収容される変形可能な収容部材は、不織布（外側不織布３１）以外にも、織布、網、濾紙、等が含まれる。収容部材の形状には、円筒状や角筒状といった筒状等の形状が含まれる。端部が挟持される収容部材が変形可能であることには、収容部材が内嵌部材等により圧縮される（体積が変わる）こと、収容部材が内嵌部材等により体積変化無しに曲がること、等が含まれる。
内嵌部材の内側には、内側への撓みを抑制する格子等の構造が形成されてもよい。また、内嵌部材の形状は、環状以外にも、環の一部を欠いた形状、内側不織布４１を貫通させる穴を有するプレート形状、等でもよい。
滑り止め用の凹凸は、中空糸膜ケースの外側面において保持部から指当て部にわたる部分に形成される以外にも、保持部に形成されず指当て部にのみ形成されてもよいし、指当て部に形成されず保持部にのみ形成されてもよい。滑り止め用の凹凸９０の溝は、軸ＡＸ１と直交する向きからずれた向きでもよい。
【００５１】
指当て部８５は、互いに離隔して保持部８１から吸着剤部３０側へ延出した複数の部位以外にも、一つに繋がった部位でもよい。
図７（ｂ）は、軸ＡＸ１を中心として１８０°を超える範囲にわたる指当て部８５を有する中空糸膜ケース７０Ａを模式的に示している。図７（ｂ）において、指当て部８５の位置は、格子模様で示されている。図７（ｂ）に示す中空糸膜ケース７０Ａにおいて保持部８１から指当て部８５にわたる部分の外側面８０ａには、軸ＡＸ１を中心として互いに１８０°反対側となる一対の滑り止め用の凹凸９０が形成されている。ここで、指当て部８５のうち凹凸９０が形成された２箇所は、当て部８６，８７となる。図７（ｃ）は、中空糸膜ケース７０Ａを示す縦断面であって滑り止め用の凹凸９０を通る縦断面を示している。
【００５２】
中空糸膜ケース７０Ａを有する浄水カートリッジ２０を吐水ヘッド１０に取り付ける場合も、保持部８１から指当て部８５にわたる滑り止め用の凹凸９０に指を当てて外嵌部８０を掴み、吐水部１１に流出口７５から浄水カートリッジ２０を流下方向Ｄ１へ押し込めばよい。保持部８１から１８０°を超える範囲にわたって吸着剤部３０側へ指当て部８５が延出しているので、吸着剤部３０を触らず容易に保持部８１から指当て部８５にかけて強く掴むことができる。従って、本変形例も、吸着剤部を触らずに吐水装置に対して着脱可能である。
【００５３】
図７（ｄ）は、軸ＡＸ１を中心として１２０°間隔で互いに離隔した当て部８６，８７，８８を含む指当て部８５を有する中空糸膜ケース７０Ｂを模式的に示している。図７（ｄ）において、当て部８６，８７，８８の位置は、格子模様で示されている。保持部８１から当て部８６，８７，８８にわたる部分の外側面８０ａには、滑り止め用の凹凸９０が形成されている。中空糸膜ケース７０Ｂを有する浄水カートリッジ２０を吐水ヘッド１０に取り付ける場合も、保持部８１から当て部８６，８７，８８にわたる滑り止め用の凹凸９０の少なくとも一部に指を当てて外嵌部８０を掴み、吐水部１１に流出口７５から浄水カートリッジ２０を流下方向Ｄ１へ押し込めばよい。保持部８１から複数の当て部８６，８７，８８が吸着剤部３０側へ延出しているので、吸着剤部３０を触らず保持部８１から指当て部８５にかけて掴むことができる。従って、本変形例も、吸着剤部を触らずに浄水カートリッジを吐水装置に対して着脱可能である。
【００５４】
図８（ａ）は、滑り止め用の凹凸が無いものの、保持部８１から吸着剤部３０側へ当て部８６，８７が延出した中空糸膜ケース７０Ｃを示している。この中空糸膜ケース７０Ｃを有する浄水カートリッジ２０を吐水ヘッド１０に取り付ける場合、保持部８１から当て部８６，８７にかけて指を当てて外嵌部８０を掴み、吐水部１１に流出口７５から浄水カートリッジ２０を流下方向Ｄ１へ押し込めばよい。保持部８１から吸着剤部３０側へ指当て部８５が延出しているので、吸着剤部３０を触らずに保持部８１から指当て部８５にかけて指を当てることができる。従って、本変形例も、吸着剤部を触らずに浄水カートリッジを吐水装置に対して着脱可能である。
尚、図７（ｂ）〜（ｄ）で示した中空糸膜ケース７０Ａ，７０Ｂに滑り止め用の凹凸９０が無くても、同様の効果が得られる。
【００５５】
また、中空糸膜ケース７０Ｃの外嵌部８０には、図８（ａ）に示すように、当て部８６，８７の根元から保持部８１にわたる通水用の穴８２が形成されてもよい。浄水カートリッジ２０の外側に存在する水道水は、各穴８２を通って吸着剤部３０の外側面３２から外側不織布３１の内側３３に入る。本変形例は、吸着剤部を触らずに浄水カートリッジを吐水装置に対して着脱可能であるうえ、吸着剤部の外側面の通水面積を増やすことができる。
尚、通水用の穴は、中空糸膜ケースの外側面において保持部から指当て部にわたる部分に形成される以外にも、保持部に形成されず指当て部にのみ形成されてもよいし、指当て部に形成されず保持部にのみ形成されてもよい。
また、図８（ａ）に示すように穴８２が形成された外嵌部８０にも、滑り止め用の凹凸９０を形成することが可能である。
【００５６】
図８（ｂ）は、保持部８１から部分的に延出した指当て部８５が無いものの、外嵌部８０の外側面８０ａに滑り止め用の凹凸９０が形成された中空糸膜ケース７０Ｄを示している。図８（ｂ）において二点鎖線で囲んだ箇所には、第一の当て部８６を含む外嵌部８０、及び、その近傍を軸ＡＸ１に直交する方向から見た図を示している。中空糸膜ケース７０Ｄを有する浄水カートリッジ２０を吐水ヘッド１０に取り付ける場合、凹凸９０に指を当てて外嵌部８０を掴み、吐水部１１に流出口７５から浄水カートリッジ２０を流下方向Ｄ１へ押し込めばよい。外嵌部８０の外側面８０ａに滑り止め用の凹凸９０が形成されているので、指を当てる位置が見易く、凹凸９０に指を当てることにより吸着剤部３０を触らずに外嵌部８０を掴むことができる。従って、本変形例も、吸着剤部を触らずに浄水カートリッジを吐水装置に対して着脱可能である。
尚、図７（ｂ）〜（ｄ）で示した中空糸膜ケース７０Ａ，７０Ｂに指当て部８５が無くても、同様の効果が得られる。
【００５７】
（４）結び：
以上説明したように、本発明によると、種々の態様により、吸着剤部を触らずに吐水装置に対して着脱可能な浄水カートリッジ、水栓、等の技術を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００５８】
１…水栓、
１０…吐水ヘッド（吐水装置）、１０ａ…水道水通路、
１１…吐水部、１２…接続口、１５…切替レバー、
１８…把持部、１９…ホース、
２０…浄水カートリッジ、
３０…吸着剤部、３０ａ，３０ｂ…端部、
３１…外側不織布（収容部材）、３１ａ，３１ｂ…端部、
３２…外側面、３２ａ…外側、３３…内側、
３８…外キャップ、３８ａ…外面、
４１…内側不織布、４１ａ，４１ｂ…端部、４３…内側、４８…内キャップ、
５０…内嵌部材、５０ｂ…下流側縁部、５１…外側面、５１ｃ…膨出部、５３…内側、
７０，７０Ａ〜７０Ｄ…中空糸膜ケース（流通口部材）、
７０ａ…本体部、７０ｂ…蓋部、７０ｃ…内部空間、
７１…収容部、７４…連絡口、
７５…流出口（流通口）、
７６…接続部、７７…溝、７８…内接部、
８０…外嵌部、８０ａ…外側面、８１…保持部、８２…穴、
８５…指当て部、８６，８７，８８…当て部、８６ａ，８７ａ…先端部、
９０…滑り止め用の凹凸、
ＡＤ１…吸着剤、
ＢＨ１…中空糸膜束、ＢＨ１ａ…閉塞端部、ＢＨ１ｂ…開口端部、
Ｄ１…流下方向、Ｄ２…延出方向、
Ｈ１…中空糸膜。
【図１】
2016159254.tif 000003
【図２】
2016159254.tif 000004
【図３】
2016159254.tif 000005
【図４】
2016159254.tif 000006
【図５】
2016159254.tif 000007
【図６】
2016159254.tif 000008
【図７】
2016159254.tif 000009
【図８】
2016159254.tif 000010